(57)【特許請求の範囲】
【請求項１】
前輪と後輪を具備する車体フレームの中間部または後部寄りに、下端部を基点として前後に回動自在となるように背凭れフレームを支承し、該背凭れフレームの上下略中間部に側面視において略Ｌ字状に構成した座部フレームの後方上部を支承することにより該座部フレームが着座可能な状態から上方回動可能となるように構成した入浴介助用車椅子において、前記背凭れフレームの下端部に固着したブラケットに前端側が下方回動側に付勢された状態となるように角度設定プレートを支承するとともに、該角度設定プレートに設けたチルト設定孔及び折畳み設定孔の何れかの係脱孔に前記車体フレーム側に具備したピンを係脱操作可能に取付け、前記座部フレームが着座状態にあるときには前記チルト設定孔内のみ前記ピンが相対的に移動可能となるように構成してなるチルト機構と、前記座部フレームを着座状態から上方回動することで前記角度設定プレートの上方回動規制を解除して該角度設定プレートに固着したペダル部材を踏み込むことにより該角度設定プレートを上方回動させたときのみ前記ピンが折畳み設定孔内を相対的に移動可能となるように構成してなる折畳み機構を備えたことを特徴とする入浴介助用車椅子。
【請求項２】
前記角度設定プレートには該角度設定プレートの回動中心を中心とした同心円上に配置した複数の係脱孔とこれら係脱孔の下端側を連結する通孔部とからなるチルト設定孔を設けるとともに、該チルト設定孔の前下方に一体となるように略凹字状の折畳み設定孔を設けるとともに、前記背凭れフレームのブラケットに穿設したガイド孔と前記座席フレームに固着した筒状部材間に規制ロッドを取付け、前記座席フレームの上方回動により該規制ロッドが前記ガイド孔内で上方側に引き上げられるよう構成することにより、座部フレームが着座状態にあるときには規制ロッドの下端部が前記角度設定プレートの上方回動範囲を規制し前記車体フレームに具備されたピンがチルト設定孔内のみ移動するよう構成すると共に、前記座部フレームを上方回動させることで前記角度設定プレートの上方回動の規制を解除した後、前記角度設定プレートを上方回動することで前記ピンが折畳み設定孔内を移動することができるように構成してなるチルト機構及び折畳み機構を備えたことを特徴とする請求項１に記載の入浴介助用車椅子。
【発明の詳細な説明】
【技術分野】
【０００１】
本発明は、入浴介助の際に使用する車椅子のチルト機構及び折畳み機構に関するものです。
【背景技術】
【０００２】
身体が不自由な人や介護が必要な高齢者等の被介護者が介護者の介助によって、入浴をしなければならない場合に、被介護者が快適に入浴することができるとともに、介護者にとっても楽に被介護者の身体を洗うことができる車椅子があれば、被介護者は常に清潔な身体を保つことができ、健康上望ましい状態を維持できるものとなります。このような目的のために、入浴用の車椅子が種々提案されています。
【０００３】
例えば、入浴介助に使用する車椅子には、座部と背もたれ部を有する座席部と前輪と後輪と転倒防止用のアーム部により形成され、後輪に座席部を回動可能に支持する座席支持部を形成し、前輪に座席部を受ける座席受部を形成しています。さらに、後輪にはアーム部を回動可能に支持するアーム支持部を形成し、前輪と後輪間に回動可能に支持し回動を固定する回動固定部を形成しています。そして、座席部とアーム部間に、座部を水平状態にすべく付勢する付勢手段を形成するとともに座席部を所定状態に固定する付勢固定部を形成しています。これによって極めて手軽に座席部が傾斜、昇降し、後方への転倒防止もできる車椅子があります（例えば、特許文献１参照）。
また、左右一対のフロント・ハンドルパイプとリヤーパイプが上下方向に回動自在に枢着され、かつ座板が折畳み可能に取付けられ、フロント・ハンドルパイプの下部には着脱式のステップが前後左右に回動可能に取付けられ、一つのキャスターに該キャスターと車輪を別々にロック、解除できるキャスター回転ロック機構および車輪回転ロック機構の二つの機構を備えた前輪キャスターおよび後輪キャスターが取付けられ、椅子本体が前後方向に折畳まれる構造とした車椅子もあります（例えば、特許文献２参照）。
【特許文献１】特開平７−３１６５６号公報
【特許文献２】特開２００５−３４３３４号公報
【０００４】
しかしながら、上記前者の車椅子には座席部の傾斜、昇降ができるという効果がある一方、折畳みの機能がなく、収納スペースが広く必要であるという欠点がありました。さらに、座席部の傾斜を行うために使用される付勢手段が比較的高価であり、安価な車椅子を提供するための障害となってしまう恐れもありました。
また、後述の車椅子は、折畳むことはできますが、チルトまたはリクライニング機構がなく、入浴介助を行う際に一定の着座状態で行わなければならず、洗い難い部分が残ったり、身体を洗う際に被介護者の安定性が悪くなったりするという問題点があります。
【０００５】
このように、入浴介助用の車椅子には、チルト機構と折畳み機構がともに具備されたものがなく、それぞれが一長一短あるものとなっていました。
【発明の開示】
【発明が解決しようとする課題】
【０００６】
そこで、本願発明が解決しようとする課題は、入浴介助を目的とする車椅子において、被介護者の洗体を行う際に、被介護者の前方へのずれを防止するためにチルト機構を付加するとともに、この車椅子を使用しないときにはコンパクトに折畳みできる折畳み機構を備え、それぞれを安全に作動させることができる車椅子を安価に提供することです。
【課題を解決するための手段】
【０００７】
本発明は、前輪と後輪を具備する車体フレームの中間部または後部寄りに、下端部を基点として前後に回動自在となるように背凭れフレームを支承し、該背凭れフレームの上下略中間部に側面視において略Ｌ字状に構成した座部フレームの後方上部を支承することにより該座部フレームが着座可能な状態から上方回動可能となるように構成した入浴介助用車椅子において、前記背凭れフレームの下端部に固着したブラケットに前端側が下方回動側に付勢された状態となるように角度設定プレートを支承するとともに、該角度設定プレートに設けたチルト設定孔及び折畳み設定孔の何れかの係脱孔に前記車体フレーム側に具備したピンを係脱操作可能に取付け、前記座部フレームが着座状態にあるときには前記チルト設定孔内のみ前記ピンが相対的に移動可能となるように構成してなるチルト機構と、前記座部フレームを着座状態から上方回動することで前記角度設定プレートの上方回動規制を解除して該角度設定プレートに固着したペダル部材を踏み込むことにより該角度設定プレートを上方回動させたときのみ前記ピンが折畳み設定孔内を相対的に移動可能となるように構成してなる折畳み機構を備えたことを最も主要な特徴としています。
また、前記角度設定プレートには該角度設定プレートの回動中心を中心とした同心円上に配置した複数の係脱孔とこれら係脱孔の下端側を連結する通孔部とからなるチルト設定孔を設けるとともに、該チルト設定孔の前下方に一体となるように略凹字状の折畳み設定孔を設けるとともに、前記背凭れフレームのブラケットに穿設したガイド孔と前記座席フレームに固着した筒状部材間に規制ロッドを取付け、前記座席フレームの上方回動により該規制ロッドが前記ガイド孔内で上方側に引き上げられるよう構成することにより、座部フレームが着座状態にあるときには規制ロッドの下端部が前記角度設定プレートの上方回動範囲を規制し前記車体フレームに具備されたピンがチルト設定孔内のみ移動するよう構成すると共に、前記座部フレームを上方回動させることで前記角度設定プレートの上方回動の規制を解除した後、前記角度設定プレートを上方回動することで前記ピンが折畳み設定孔内を移動することができるように構成してなるチルト機構及び折畳み機構を備えたことを特徴としています。
【発明の効果】
【０００８】
本発明の入浴介助用車椅子には、座部フレームを着座状態としたときには、背凭れフレームと座部フレームとが一定の角度を保持した状態で傾倒させるチルト操作ができ、座部フレームを上方回動させたときには折畳み操作ができるように構成されたチルト機構及び折畳み機構が具備されています。したがって、使用中にはチルト操作によって使用者の姿勢を換えることができるという利点があります。この利点によって、被介護者の身体をずれ難い姿勢とすることができるとともに、姿勢変更に伴う体圧分散によって下肢が持ち上げ易くなり身体を洗い易くすることができるという効果もあります。また、使用中には被介護者の体重がかかっているため座部フレームを上方回動させることができず、この状態では折畳み操作ができないよう構成されているので安全に使用できます。使用後には座部フレームを上方回動させた後、角度設定プレートを上方回動させることで折畳みできるので操作も簡単です。そして、折畳むことでコンパクトになり狭い場所にも保管できるという利点もあります。
【０００９】
また、このチルト機構と折畳み機構は背凭れフレーム下端部に具備されたブラケットと、このブラケットに支承される角度設定プレートと、車体フレームに具備されたピン及び座部フレームの上方回動により引き上げられるよう構成された規制ロッドとからなるものであり、簡易な構成となっています。したがって、安価に提供できるという利点があります。さらに、座部フレームが着座状態にあるときには、前記規制ロッドが角度設定プレートの回動範囲を規制して角度設定プレートに設けたチルト設定孔内でピンが相対的な移動をするよう構成されており、座部フレームを上方回動させたときには角度設定プレートの回動規制が解除されておりこの回動操作によって折畳み設定孔内をピンが相対的に移動できる状態になるので使用中には誤って折り畳まれることもなく、安全に使用できるものとなっております。
【実施例１】
【００１０】
次に、本発明における入浴介助用車椅子１について図面に基づいて説明します。なお、本実施例では、被介護者が入浴介助用車椅子１に乗車した状態を基準として前後左右としています。
本発明の入浴介助用車椅子１は、図１に示すように、主として前輪２，２及び後輪３，３を具備した車体フレーム４と、この車体フレーム４に回動自在に枢着される背凭れフレーム５と、この背凭れフレーム５に回動自在に枢着される座部フレーム６と、前記背凭れフレーム５と車体フレーム４との間に具備されるチルト機構７、さらに、前記座部フレーム６とチルト機構７に設けた折畳み機構８とから構成されています。
【００１１】
まず、上記車体フレーム４について説明します。
この車体フレーム４は、側面視において略逆へ字状の側部パイプ９，９を一定間隔離間させた状態で、中間部または後部寄りに連結パイプ１０を固着して構成したものです。そして、前記側部パイプ９，９の前端部には旋回自在なキャスター型の前輪２，２が止着される一方、後端部には後方側への転倒防止のための補助輪１１，１１が回転自在な状態で取り付けられています。さらに、該側部パイプ９，９の後方寄りの位置には後輪３，３が回転自在な状態で取り付けられています。なお、前記補助輪１１，１１は、側面視において前記後輪３，３の後方下部に突出した位置となるように配置されており、ティッピング操作ができるように、前記前輪２，２及び後輪３，３が接地した状態では床面には接しないように構成されています。
そして、前記連結パイプ１０の両端部には上方に向けて背凭れ支持プレート１２が固着されています。
なお、車体フレーム４には前輪２，２または後輪３，３、あるいは前後輪２，２，３，３にそれぞれブレーキが設けられ、入浴介助用車椅子１を停止させた状態で安全に使用できるように構成していますが、本実施例ではこのブレーキに関する説明及び図を省略しています。
【００１２】
前記背凭れ支持プレート１２，１２の間には、背凭れフレーム５が回動自在な状態で支承されています。
この背凭れフレーム５は、左右のハンドルパイプ１３，１３の下端部に回動パイプ１４を固着したもので、上部には背凭れプレート１５が止着されており、該背凭れプレート１５に背凭れマット１６が止着されています。
また、左右のハンドルパイプ１３，１３の上下方向中間部には、座部フレーム６を取付けるための軸受１７，１７が固着されています。
【００１３】
次に、上記背凭れフレーム５の軸受１７，１７間に回動自在に取り付けられる座部フレーム６について説明します。
この座部フレーム６は、平面視において略矩形状となる座席部１８が形成されるように座部パイプ１８ａ，１８ｂを固着してなるものです。詳述すると、この座部パイプ１８ａ，１８ｂは図示を省略していますが、平面視において略矩形状で後方中間部を開放した座部パイプ１８ａに、側面視において略Ｌ字状に曲折した座部パイプ１８ｂ，１８ｂを固着したものです。そして、座部パイプ１８ｂの後方上端部に基部パイプ１９を固着し、前記軸受１７，１７及び該基部パイプ１９にピン２０を挿通することによって座部フレーム６が回動自在となるよう支承しています。なお、背凭れフレーム５のハンドルパイプ１３，１３と座席部１８を形成する座部パイプ１８ａの後端面の接触によって座席部１８の下方回動が規制され、前記背凭れフレーム５と座部フレーム６が一定角度で保持され着座状態となるように構成されています。
なお、この座部フレーム６の座席部１８上にはプレート２１が止着されており、このプレート２１に座部マット２２が止着されています。
【００１４】
また、背凭れフレーム５の軸受１７，１７の左右方向の外側にはテスリ２３，２３が取り付けられ、この入浴介助用車椅子１を使用する被介護者の転落等を防止しています。
まず、前記軸受１７，１７の左右外側面には略まが玉状の規制プレート２４，２４が一体的に形成されています。一方、テスリ２３，２３は、平面視において略コ字状に曲折されたテスリパイプ２５，２５の後端部に楕円状のプレート２６，２６及び支軸２７，２７をそれぞれ固着し、さらに前記プレート２６，２６には抜け止めピン２８，２８をそれぞれ固着しています。
このように構成されたテスリ２３の支軸２７，２７を前記軸受１７，１７にそれぞれ挿通するとともに、抜け止めピン２８，２８の顎部２８ａ，２８ａを前記規制プレート２４，２４に係止することで抜け止めされています。この状態で、前記座部フレーム６の取付に使用したピン２０も抜け止めされた状態となっています。
このように構成されたテスリ２３，２３は、図２の状態で抜け止めピン２８，２８が規制プレート２４，２４に接触しているので、テスリ２３，２３の下方向きの回動が規制された状態となっています。この状態から上方回動側にはフリーな状態になっているので、この入浴介助用車椅子１への乗り降りには支障なく使用できる構成となっています。
【００１５】
上述のように、車体フレーム４に対して回動自在に構成された背凭れフレーム５との間にはチルト機構７を設け、前記背凭れフレーム５に対して回動自在に構成された座部フレーム６と前記チルト機構７には折畳み機構８が設けられ、前記車体フレーム４に対して背凭れフレーム５と座部フレーム６とが一定角度を保持した状態で前後に傾倒可能に構成されるとともに、使用しないときには折畳みできるように構成しています。
まず、チルト機構７は、上記背凭れフレーム５の回動パイプ１４に固着されたＵ字状のブラケット２９を備えています。そして、該ブラケット２９内に、角度設定プレート３０を揺動自在な状態となるようにピン３１で支承しています。なお、この角度設定プレート３０はスプリング３２によって、図２において時計周りの方向、すなわち該角度設定プレート３０の前端側が下方回動側に向けて付勢されています。
また、この角度設定プレート３０は、前記ブラケット２９への取付部を中心とした扇状の規制部３０ａと略矩形状の角度設定部３０ｂを一体的に形成しています。前記規制部３０ａは扇形の一辺を後述する規制ロッド３３に接触させてこの角度設定プレート３０の回動範囲を規制する際の接触部となります。なお、他方側の一辺にはペタル３４が固着されており、このペタル３４を前記スプリング３２の付勢力に抗して踏み込むことで角度設定プレート３０の回動操作ができるように構成されています。また、図７（ａ）に示すように前記角度設定部３０ｂには、この角度設定プレート３０の回動の基端となる支承部を中心とした同心円上に配置された係脱孔ａ，ａとこれら係脱孔ａ，ａを連結する通孔部ｂからなる略凹字状のチルト設定孔３０ｃと、このチルト設定孔３０ｃの前方下部に連続して配される略凹字状の折畳み設定孔３０ｄを設けています。
そして、前述のチルト設定孔３０ｃ及び折畳み設定孔３０ｄ内を相対的に移動するようにピン３５を前記車体フレーム４の連結パイプ１０に固着したプレート３６の空孔部３６ａに挿通しています。
このように構成されたチルト機構７は、後述する折畳み機構８により誤動作することなく、安全に使用状態と折畳み状態を設定できるように構成されています。
【００１６】
続いて、折畳み機構８について説明します。この折畳み機構８は上述したチルト機構７を利用するもので、上記座部フレーム６の前方部を持ち上げることによって角度設定プレート３０の折畳み設定孔３０ｄ内をピン３５が滑動できる状態として背凭れフレーム５及び座部フレーム６を車体フレーム４側に倒伏できるよう構成したものです。
詳述すると、前記チルト機構７の角度設定プレート３０内の折畳み設定孔３０ｄにピン３１が相対的に移動可能な状態とするために、次のように構成しています。まず、座部フレーム６の回動の基点となる基部パイプ１９に筒状部材３７を固着しています。また、前記ブラケット２９には略上下方向のガイド孔２９ａが穿設されており、前記筒状部材３７と該ガイド孔２９ａに略コ字状に曲折した規制ロッド３３を挿通しています。なお、この規制ロッド３３の下端部は、座部フレーム６が椅子状態にあるときにブラケット２９のガイド孔２９ａの下部に位置し、この状態では図６に示すように前記角度設定プレート３０の反時計回りの回動が規制され、ピン３５が折畳み設定孔３０ｄ内へ相対的な移動ができないように構成されています。この状態から、座部フレーム６を背凭れフレーム５側に上方回動させると、規制ロッド３３の下端部が引き上げられ、前記ガイド孔２９ａの上部に位置し（図８参照）、前記角度設定プレート３０の規制部３０ａが該規制ロッド３３に接触しないので回動範囲が規制されることなくペタル３４を踏み込むことができ、ピン３５が折畳み設定孔３０ｄ内へ相対的な移動ができるようになっています。
【００１７】
なお、上述した角度設定プレート３０は図７（ｂ）に示すように構成することもできます。
この角度設定プレート３０では、前述した略凹字状のチルト設定孔３０ｃを略Ｅ字状のチルト設定孔３０ｃ’としたもので、係脱孔ａが３箇所に設けられています。この場合には、着座姿勢が３段階から選択でき、使用者の洗体の状態に合わせ前記座部フレーム６及び背凭れフレーム５を傾倒することができます。
このように、前記角度設定プレート３０に設けるチルト設定孔３０ｃ及び折畳み設定孔３０ｄは、次のように構成したものであれば良く、本実施例に限定するものではありません。
まず、前記チルト設定孔３０ｃは角度設定プレート３０の回動の基端を中心とした同心円上に配設した複数の係脱孔ａ，ａ，・・・とこれら係脱孔ａ，ａ，・・・の下部を連結する略半径方向の通孔部ｂを備えたものであり、この係脱孔が２つの場合には上述したように略凹字状となる図７（ａ）に示すものとなり、係脱孔が３つの場合には上述したような略Ｅ字状となる図７（ｂ）に示すようになります。
また、折畳み設定孔３０ｄも上述で説明したものは略凹字状の空孔部を前記チルト設定孔３０ｃの前方下部に連続して一体的となるように構成したものであるが、前方部の係脱孔ａをなくしたものであっても、折畳むことができます。しかしながら、この場合には図９に示すように立位で収納することはできません。これは、通孔部ｂ内をピン３５が自在に移動可能な状態となっているためです。
なお、チルト設定孔３０ｃの通孔部ｂの下側に折畳み設定孔３０ｄの通孔部ｂを位置するように配することで、規制ロッド３３が作用し、座部フレーム６を着座状態としたときに上記ピン３５が折畳み設定孔３０ｄに侵入しない構成としています。
【００１８】
最後に、上述のように構成した入浴介助用車椅子１には、ステップ３８が具備されています。
このステップ３８は、前記車体フレーム４に取り付けられるもので、詳しくは側部パイプ９，９の前端下部に取付プレート３９，３９をそれぞれ固着し、この取付プレート３９，３９にステップ部材４０，４０を止着しているステップパイプ４１，４１の端部に固着されたブラケット４２，４２を枢着して構成しています。なお、このステップ３８は、ステップ部材４０，４０が略水平面で保持される状態と上方に跳ね上げることができるように構成されています。
【００１９】
続いて、上述のように構成された入浴介助用車椅子１を使用する際のチルト操作及び折畳み操作について説明します。
まず、チルト操作について説明します。
このチルト操作は、角度設定プレート３０の前端側を下方回動側に向けて付勢しているスプリング３２に抗してペタル３４を踏み込みます。すると、該角度設定プレート３０の前端側が上方回動し、チルト設定孔３０ｃの何れかの係脱孔ａから通孔部ｂへピン３５が相対的に移動します。この状態でハンドルパイプ１３，１３を前後何れかに回動させることで背凭れフレーム５と座部フレーム６とが一定の角度を保持した状態で傾倒します。この傾倒操作後に前記ペタル３４から足を離すと前記スプリング３２の付勢力によって角度設定プレート３０が下方回動され、自動的に前記ピン３５が何れかの係脱孔ａに係止された状態となり、ハンドルパイプ１３，１３から手を放しても背凭れフレーム５は回動できない状態となっています。
また、前記ペタル３４を踏み込む際には、前記座部フレーム６が着座状態になっていれば、規制ロッド３３の下端部がブラケット２９のガイド孔２９ａの下部に位置しており、前記角度設定プレート３０の上方回動のストッパーとして作用しているので、前記ピン３５がチルト設定孔３０ｃから外れ、折畳み設定孔３０ｄに相対的に移動することがないように構成されたものとなっています。
したがって、被介護者が乗車した状態で座部フレーム６を上方回動することはできないため、使用中に何らかの要因によって折り畳まれてしまうという危険性もなく、安全に使用できる入浴介助用車椅子１となっています。
【００２０】
次に、折畳み操作について説明します。
まず、前記角度設定プレート３０の上方回動のストッパーを解除するために、前記座部フレーム６を背凭れフレーム５側に向けて上方回動させます。このとき、規制ロッド３３が座部フレーム６の回動中心となる基部パイプ１９に固着された筒状部材３７の上方移動にあわせ、前記ガイド孔２９ａ内を上方へ引き上げられることによって、前記角度設定プレート３０の上方回動のストッパーが解除された状態となります。然る後、前記ペタル３４を踏み込むことで、前記ピン３５がチルト設定孔３０ｃから折畳み設定孔３０ｄへと相対的に移動します。そして、前記背凭れフレーム５と座部フレーム６を前方へ回動させながら前記ペタル３４から足を離します。さらに、前方へ背凭れフレーム５と座部フレーム６を倒すと前記ピン３５が折畳み設定孔３０ｄの前端側の係脱孔ａに係止され、背凭れフレーム５が前後に回動できない状態となります。この状態で、図９に示すように補助輪１１，１１とペタル３４によって支持されるように立位状態とすることができ、より狭いスペースに保管することができるようになります。このように、立位状態で保管できることで、背及び座のマット１６，２２が略垂直な状態となるので、入浴後の水切り乾燥が多少早くできるという利点もあります。
なお、この折畳み状態から使用状態に戻すには、前後輪２，２，３，３が接地する状態に戻し、前記ペタル３４を踏み込み、前記ピン３５の係止状態を解除して背凭れフレーム５を上方回動させます。そして、前記ピン３５が自動的にチルト設定孔３０ｃの係脱孔ａに係止されれば、使用状態になります。このとき、座部フレーム６は着座状態となっているので、前記角度設定プレート３０には規制ロッド３３がストッパーとして作用する状態となっており、上述のチルト操作ができるようになっています。
【００２１】
上述したように、本願発明に係る入浴介助用車椅子１におけるチルト機構７及び折畳み機構８は、簡単な部品構成で安全に使用できるものとなっています。
したがって、安価に提供することもできるとともに、被介護者の姿勢を換えることができるので介護者も入浴介助がし易く、被介護者にとっては快適に入浴介できるものとなっています。
【図面の簡単な説明】
【００２２】
【図１】本発明における入浴介助用車椅子を示す全体斜視図
【図２】その全体側断面図
【図３】その背面図
【図４】そのチルト機構及び折畳み機構を示す要部側断面図
【図５】チルト状態を示す要部側断面図
【図６】折畳み防止状態を示す要部側断面図
【図７】角度設定プレートを示す全体側面図（ａ）第一形態，（ｂ）第二形態
【図８】折畳み手順を示す全体側断面図
【図９】折畳み状態を示す全体側面図
【符号の説明】
【００２３】
１    入浴介助用車椅子
２    前輪
３    後輪
４    車体フレーム
５    背凭れフレーム
６    座部フレーム
７    チルト機構
８    折畳み機構
２９  ブラケット
２９ａ  ガイド孔
３０  角度設定プレート
３０ｃ  チルト設定孔
３０ｄ  折畳み設定孔
３３  規制ロッド
３５  ピン
ａ    係脱孔
ｂ    通孔部
【図１】
0005093888.tif 000002
【図２】
0005093888.tif 000003
【図３】
0005093888.tif 000004
【図４】
0005093888.tif 000005
【図５】
0005093888.tif 000006
【図６】
0005093888.tif 000007
【図７】
0005093888.tif 000008
【図８】
0005093888.tif 000009
【図９】
0005093888.tif 000010